(57)【要約】【課題】  ガスケットを異なる幅の隙間に適合させることで、内管と外管との間の揺れ、引っ掛り等の問題が生じるのを効果的に防ぐことができ、昇降支柱の組み立てが便利になる昇降支柱およびそれを応用した昇降テーブルを提供する。【解決手段】  昇降支柱は、外管１と、内管と、複数のガスケット３と、を備え、外管１が内管を外嵌し、複数のガスケット３が外管１と内管との間の隙間に円周方向に設けられる。昇降支柱は少なくとも１つのインサート材４をさらに備え、少なくとも１つのガスケット３に上端開放の縦向き挿入溝５が設けられ、挿入溝５内に押さえ材６が接続され、インサート材４が挿入溝５に挿着され、インサート材４の下部に下から上へ徐々に厚くなる押圧部７が設けられ、押圧部７が外管１と押さえ材６との間の隙間に挿入され、押さえ材６を内管の外側壁に押し付ける。昇降支柱は昇降テーブルに応用することができる。【選択図】  図4
0003233276.tif 000002
【実用新案登録請求の範囲】
【請求項１】
外管（１）と、内管（２）と、複数のガスケット（３）と、を備え、前記外管（１）が前記内管（２）を外嵌し、複数の前記ガスケット（３）が前記外管（１）と前記内管（２）との間の隙間に円周方向に設けられる昇降支柱であって、少なくとも１つのインサート材（４）をさらに備え、
少なくとも１つの前記ガスケット（３）に上端開放の縦向き挿入溝（５）が設けられ、前記挿入溝（５）内に押さえ材（６）が接続され、
前記インサート材（４）が前記挿入溝（５）に挿着され、前記インサート材（４）の下部に下から上へ徐々に厚くなる押圧部（７）が設けられ、前記押圧部（７）が前記外管（１）と前記押さえ材（６）との間の隙間に挿入され、
前記押さえ材（６）を前記内管（２）の外側壁に押し付け、
前記押さえ材（６）が前記挿入溝（５）内に位置し、前記押さえ材（６）の下端が前記挿入溝（５）の溝底と連結して一体になっていることを特徴とする、昇降支柱。
【請求項２】
前記押圧部（７）の内側壁に上から下に徐々に外向きに傾斜する第１内傾斜面（８）が設けられ、前記押さえ材（６）の外側壁の上部に上から下に徐々に外向きに傾斜する第１外傾斜面（９）が設けられ、前記第１内傾斜面（８）と前記第１外傾斜面（９）とは、相対摺動することを特徴とする、請求項１に記載の昇降支柱。
【請求項３】
前記押さえ材（６）の外側壁に固定突起（１０）が設けられ、前記外管（１）に前記固定突起（１０）を挿入するための固定孔（１１）が設けられ、前記固定突起（１０）と前記押さえ材（６）の外側壁との接続部に上下に貫通する挿入孔（１２）が設けられ、前記インサート材（４）に固定ピース（１３）が設けられ、前記固定ピース（１３）が前記挿入孔（１２）に挿入され、前記固定ピース（１３）の外側壁に複数の戻り防止用係止溝（１４）が設けられ、複数の前記戻り防止用係止溝（１４）が垂直方向に間隔をあけて配置され、前記挿入孔（１２）に面する前記固定突起（１０）に係止フック（１５）に設けられ、前記係止フック（１５）が前記戻り防止用係止溝（１４）のいずれかに係合されていることを特徴とする、請求項１または２に記載の昇降支柱。
【請求項４】
前記挿入孔（１２）の下にある前記ガスケット（３）の外側壁に上から下に向けて徐々に外向きに傾斜する第２外傾斜面（１６）が設けられ、前記固定ピース（１３）の内側壁の下端部に上から下に徐々に外向きに傾斜する第２内傾斜面（１７）が設けられ、前記第２内傾斜面（１７）と前記第２外傾斜面（１６）とは、相対摺動することを特徴とする、請求項３に記載の昇降支柱。
【請求項５】
請求項１〜４のいずれか一項に記載の少なくとも１つの昇降支柱を備えることを特徴とする、昇降テーブル。
【考案の詳細な説明】
【技術分野】
【０００１】
本考案は、昇降支柱に関し、特に、昇降支柱およびそれを応用した昇降テーブルに関する。
【背景技術】
【０００２】
昇降テーブルに使用される昇降支柱は、通常、内管と外管の相対的な動きを利用して昇降を実現し、材料自体の問題、加工誤差および組立誤差等の問題の存在により、内管と外管との間に隙間ができることがよくあるため、両者の相対的に動いている時に揺れ、引っ掛り等の問題が現れているが、現在の一般的な解決策は、内管と外管との間の隙間箇所にガスケットが設けられるが、内管と外管との間の隙間の大きさを制御できず、ガスケットの厚さが基本的に同じであるため、ガスケットがすべての内管と外管に適合することができない。内管と外管との間の隙間が小さい場合、ガスケットを取り付けた後、締まりばめにより内管と外管との間の相対移動がスムーズにできず、また内管と外管との間の隙間が大きい場合、ガスケットを取り付けられた後、ガスケットが隙間を完全に埋めることができことにより、内管と外管との間にやはり揺れ、引っ掛り等の問題が生じる可能性があり；ガスケットの厚さを様々なスタイルに設計した場合、昇降支柱の製造コストが大幅に増えるだけでなく、昇降支柱の組み立て時、正しいサイズのガスケットを選択することが、比較的困難となる。
【考案の概要】
【考案が解決しようとする課題】
【０００３】
本考案は、ガスケットを異なる幅の隙間に適させることで、内管と外管との間の揺れ、引っ掛り等の問題が生じるのを効果的に防ぐことができ、組み立てに便利な昇降支柱を提供することを、その１つの技術的課題とする。
【課題を解決するための手段】
【０００４】
上記技術的課題を解決するため、本考案は、外管と、内管と、複数のガスケットと、を備え、外管が内管を外嵌し、複数のガスケットが外管と内管との間の隙間に円周方向に設けられるという構造を有する昇降支柱を提供し、少なくとも１つのインサート材をさらに備え、少なくとも１つのガスケットに上端開放の縦向き挿入溝が設けられ、挿入溝内に押さえ材が接続され、インサート材が挿入溝に挿着され、インサート材の下部に下から上へ徐々に厚くなる押圧部が設けられ、押圧部が外管と押さえ材との間の隙間に挿入され、押さえ材を内管の外側壁に押し付けることを特徴とする。
上記構造を用いた後、従来技術と比較して、本考案の昇降支柱は、次の利点を有する。
【０００５】
本考案の昇降支柱は、少なくとも１つのインサート材を備え、少なくとも１つのガスケットに上端開放の縦向き挿入溝が設けられ、挿入溝内に押さえ材が接続され、インサート材が挿入溝に挿着され、インサート材の下部に下から上へ徐々に厚くなる押圧部が設けられ、押圧部が外管と押さえ材との間の隙間に挿入され、押さえ材を内管の外側壁に押し付けるため、作業員が外管と内管との間の隙間の大きさに応じて、外管と押さえ材との間の隙間に押圧部を挿入する具合を調整できることで、押さえ材が常に内管の外側壁に押し付けられ、すなわちガスケットを異なる幅の隙間に適させることができることで、本考案の昇降支柱は、内管と外管との間に揺れ、引っ掛り等の問題が生じるのを効果的に防ぐだけではなく、組み立ても非常に便利にさせる。
本考案の前記昇降支柱において、押さえ材が挿入溝内に位置し、押さえ材の下端が挿入溝の溝底と連結して一体になっている。
【０００６】
上記構造は、押さえ材により良好な弾性変形能力を持たせるだけでなく、インサート材を徐々に下げるにつれて押さえ材の上端の湾曲度を徐々に大きくすることができるため、ガスケットを異なる幅の隙間に適させることができ、したがって本考案の昇降支柱の内管と外管との間に揺れ、引っ掛り等の問題が生じるのを効果的に防ぐだけではなく、組み立ても非常に便利にさせる。
【０００７】
本考案の前記昇降支柱において、押圧部の内側壁に上から下に徐々に外向きに傾斜する第１内傾斜面が設けられ、押さえ材の外側壁の上部に上から下に徐々に外向きに傾斜する第１外傾斜面が設けられ、第１内傾斜面と第１外傾斜面とは、相対摺動する。
【０００８】
上記構造は、インサート材の組み立てを大幅に容易にするだけでなく、インサート材が押さえ材の上端の湾曲度をより制御するようにさせることができることで、ガスケットを異なる幅の隙間に適させることができる。
【０００９】
本考案の前記昇降支柱において、押さえ材の外側壁に固定突起が設けられ、外管に固定突起を挿入するための固定孔が設けられ、固定突起と押さえ材の外側壁との接続部に上下に貫通する挿入孔が設けられ、インサート材に固定ピースが設けられ、固定ピースが挿入孔に挿入され、固定ピースの外側壁に複数の戻り防止用係止溝が設けられ、複数の戻り防止用係止溝が垂直方向に間隔をあけて配置され、挿入孔に面する固定突起に係止フックに設けられ、係止フックが戻り防止用係止溝のいずれかに係合されている。
【００１０】
上記構造は、押さえ材と外管との間の固定、インサート材と押さえ材との間の固定およびインサート材の押さえ材上端への湾曲度の調整を同時に実現でき、構造が単純でコンパクトであり、本考案の昇降支柱の組み立てに便利である。
【００１１】
本考案の前記昇降支柱において、挿入孔の下にあるガスケットの外側壁に上から下に向けて徐々に外向きに傾斜する第２外傾斜面が設けられ、固定ピースの内側壁の下端部に上から下に徐々に外向きに傾斜する第２内傾斜面が設けられ、第２内傾斜面と第２外傾斜面とは、相対摺動する。
【００１２】
上記構造は、インサート材と押さえ材との間の固定をさらに容易にするだけでなく、係止フックといずれかの戻り防止用係止溝との間の係合安定性を効果的に確保することもできる。
本考案の前記昇降支柱において、戻り防止用係止溝の上側壁は、上から下に徐々に内向きに傾斜する傾斜面となる。
上記構造は、インサート材の組み立てがさらに容易になり、係止フックを適した戻り防止用係止溝内に係合させることができる。
【００１３】
本考案の前記昇降支柱において、内管を外嵌し、外管と内管との間の隙間内に位置する固定スリーブをさらに備え、複数のガスケットが固定スリーブの円周側壁に配置される。
【００１４】
上記構造は、全てのガスケットの同時取り付け・固定を実現できるだけではなく、ガスケットの取り付け後も外管から脱落し難いため、本考案の昇降支柱の組み立てをさらに容易にする。
本考案の前記昇降支柱において、固定スリーブの円周側壁に複数の縦向き変形溝が設けられる。
【００１５】
上記構造は、固定スリーブを外管に組み付ける時、固定スリーブに内側縮みの弾性変形が生じさせることで、ガスケット上の固定突起を固定孔内に挿入しやすくなり、固定スリーブの組み付けが容易になる。
本考案の前記昇降支柱において、固定スリーブの上端にサークリップが設けられ、サークリップの下端が外管の上端部に当接する。
上記構造は、固定スリーブを外管に組み付ける時、固定スリーブの垂直位置を正確に位置決めさせることで、固定スリーブの組み立てをさらに容易にする。
【００１６】
本考案は、ガスケットを異なる幅の隙間に適させることで、内管と外管との間の揺れ、引っ掛り等の問題が生じるのを効果的に防ぐことができる昇降支柱の組み立てに便利な昇降テーブルを提供することを、別の技術的課題とする。
上記技術的課題を解決するため、本考案は、少なくとも１つの上記昇降支柱を備えた昇降テーブルを提供する。
【考案の効果】
【００１７】
上記構造を用いた後、従来技術と比較して、本考案の昇降テーブルは、次の利点を有する。
【００１８】
作業員が外管と内管との間の隙間の大きさに応じて、外管と押さえ材との間の隙間に押圧部を挿入する具合を調整できることで、押さえ材が常に内管の外側壁に押し付けられ、すなわちガスケットを異なる幅の隙間に適させることができることで、昇降支柱は、内管と外管との間に揺れ、引っ掛り等の問題が生じるのを効果的に防ぐだけではなく、組み立ても非常に便利にさせる。
【図面の簡単な説明】
【００１９】
【図１】本考案の昇降支柱の立体構造模式図である。
【図２】図１内のＡ−Ａ線に沿った断面図である。
【図３】図２内の部位Ｂの拡大図である。
【図４】本考案の内管を除いた昇降支柱の立体分解図である。
【図５】本考案の昇降支柱内の固定スリーブの立体構造模式図である。
【図６】本考案の昇降支柱内のインサート材の立体構造模式図である。
【図７】本考案の昇降テーブルの立体構造模式図である。
【考案を実施するための形態】
【００２０】
以下、添付図面および具体的実施形態を参照しつつ本考案の昇降支柱およびそれを応用した昇降テーブルをさらに詳細に説明する。
【００２１】
なお、本考案の説明において、用語「上」、「下」、「左」、「右」、「前」、「後」、「内」、「外」などが示した方位又は位置関係は、図面に基づいて示した方位又は位置関係であり、単に本考案を簡単に説明しやすくするためであり、示された機構又は部材が必ず特定の方位を有し、または特定の方位で構成され操作することと指示又は示唆するものではないので、本考案に対する限定と理解してはいけない。
【００２２】
本考案の説明において、言及すべき点は、特に明記または限定しない限り、用語「接続」は、広義に解釈すべきであり、例えば固結、取り外し可能に接続され、または一体的に接続され；直接的に結合または中間要素を介して間接的に結合してもよいことである。当業者にとって、具体的状況に応じて本考案における上記用語の具体的な意味を理解することができる。
（実施例１）
【００２３】
図１乃至図６を参照すると、本考案の昇降支柱は、外管１と、内管２と、複数のガスケット３と、少なくとも１つのインサート材４を備え、外管１が内管２を外嵌し、複数のガスケット３が外管１と内管２との間の隙間に円周方向に設けられ、少なくとも１つのガスケット３に上端開放の縦向き挿入溝５が設けられ、挿入溝５内に押さえ材６が接続され、インサート材４が挿入溝５に挿着され、インサート材４の下部に下から上へ徐々に厚くなる押圧部７が設けられ、押圧部７が外管１と押さえ材６との間の隙間に挿入され、押さえ材６を内管２の外側壁に押し付け；本実施例において、外管１の内周壁および内管２の外周壁は、略矩形を呈し、ガスケット３の数が４つあり、４つのガスケット３が各々外管１のいずれかの内側壁と内管２のいずれかの外側壁との間の隙間内に位置し、２つの隣り合うガスケット３に挿入溝５が設けられ、インサート材４の数が２である。
好ましくは、押さえ材６が挿入溝５内に位置し、押さえ材６の下端が挿入溝５の溝底と連結して一体になっている。
【００２４】
好ましくは、押圧部７の内側壁に上から下に徐々に外向きに傾斜する第１内傾斜面８が設けられ、押さえ材６の外側壁の上部に上から下に徐々に外向きに傾斜する第１外傾斜面９が設けられ、第１内傾斜面８と第１外傾斜面９とは、相対摺動する。
【００２５】
好ましくは、押さえ材６の外側壁に固定突起１０が設けられ、外管１に固定突起１０を挿入するための固定孔１１が設けられ、固定突起１０と押さえ材６の外側壁との接続部に上下に貫通する挿入孔１２が設けられ、インサート材４に固定ピース１３が設けられ、固定ピース１３が挿入孔１２に挿入され、固定ピース１３の外側壁に複数の戻り防止用係止溝１４が設けられ、複数の戻り防止用係止溝１４が垂直方向に間隔をあけて配置され、挿入孔１２に面する固定突起１０に係止フック１５に設けられ、係止フック１５が戻り防止用係止溝１４のいずれかに係合されている。
【００２６】
好ましくは、挿入孔１２の下にあるガスケット３の外側壁に上から下に向けて徐々に外向きに傾斜する第２外傾斜面１６が設けられ、固定ピース１３の内側壁の下端部に上から下に徐々に外向きに傾斜する第２内傾斜面１７が設けられ、第２内傾斜面１７と第２外傾斜面１６とは、相対摺動する。
好ましくは、戻り防止用係止溝１４の上側壁は、上から下に徐々に内向きに傾斜する傾斜面となる。
【００２７】
挿入溝５は、内外を貫通し、挿入溝５の両側に一対の縦向き滑り案内溝２２が設けられ、インサート材４の両側が一対の滑り案内溝２２内に摺動可能に挿入されるため、インサート材４が自体と滑り案内溝２２との間の協働構造および第２内傾斜面１７と第２外傾斜面１６との間の協働の共同作用において、インサート材４の上端が内管２に向かって傾くのを防ぐことができるので、押圧部７は押さえ材６をより安定かつ確実に押し付けることができる。
【００２８】
インサート材４が上向きの作用力を受けて挿入溝５内から外れるのを防止するため、係止フック１５の下端と戻り防止用係止溝１４の下側壁は、均しく水平面である。
【００２９】
好ましくは、本考案の昇降支柱は、内管２を外嵌し、外管１と内管２との間の隙間内に位置する固定スリーブ１８をさらに備え、複数のガスケット３が固定スリーブ１８の円周側壁に配置される。
【００３０】
好ましくは、固定スリーブ１８の円周側壁に複数の縦向き変形溝１９が設けられる。本実施例において、固定スリーブ１８上の変形溝１９は、４つあり、うち、２つの変形溝１９の開口部が上向きに設けられ、別の２つの変形溝１９の開口部が下向きに設けられ、各開口部が上に向く変形溝１９はいずれかの開口部が下に向く変形溝１９と隣り合うため、固定スリーブ１８に「Ｎ」字形を呈する２つの変形部２０が形成され、２つの変形部２０が各々２つの対向するガスケット３のいずれかの一側に位置する。固定スリーブ１８は、上記弾性変形構造を用い、固定スリーブ１８の全体的な強度を確保でき、固定スリーブ１８の弾性変形可能範囲が大きいため、固定スリーブ１８の組み付けに便利であるだけではなく、固定スリーブ１８の防塵密封効果も効果的に保証する。
好ましくは、固定スリーブ１８の上端にサークリップ２１が設けられ、サークリップ２１の下端が外管１の上端部に当接する。
固定スリーブ１８の組み付けをさらに容易にするため、固定突起１０の外側壁は、上から下に徐々に内向き傾斜する傾斜面となることができる。
【００３１】
本考案の昇降支柱の組み立て方法は、まず内管２を外管１内に挿入し、次に固定スリーブ１８を上から下に内管２に嵌め込み、サークリップ２１が外管１の上端部に当接されるまで、外管１の上端から内管２と外管１との間の隙間内に挿入し、同時に各ガスケット３上の固定突起１０を対応する固定孔１１に挿入させ、さらに各インサート材４を対応する挿入溝５に挿入し、固定ピース１３を挿入孔１２内に挿入させ、インサート材４の上端を強く押し、この時インサート材４が押された後外管１の内側壁に沿って下に摺動され、インサート材４下部にある押圧部７が押さえ材６に押圧され、内管２の外側壁に押し付けられるまで、押さえ材６が内向きに弾性変形する。この時係止フック１５といずれかの戻り防止用係止溝１４との間の係合作用において、インサート材４が挿入溝５内にしっかりと固定され、内管２と外管１との間の相対移動に追従してガスケット３に対して移動することはない。
（実施例２）
図７を参照すると、本考案の昇降テーブルは、実施例１内の少なくとも１つの昇降支柱を備える。本実施例において、昇降支柱の数が２である。
本実施例内の昇降テーブルの他の構造は、均しく従来技術であるため、ここで説明を省略する。
【００３２】
なお、本考案では好ましい実施例を前述の通り開示したが、これらは決して本考案の範囲を限定するものではなく、本考案の設計精神を逸脱しないという前提において、当業者が本考案の技術的手段について行われる多種多様な変形および改善は、均しく本考案の実用新案登録で特定される保護範囲内に網羅されるべきである。
【符号の説明】
【００３３】
１０  固定突起
１  外管
１１  固定孔
１２  挿入孔
１３  固定ピース
１４  戻り防止用係止溝
１５  係止フック
１６  第２外傾斜面
１７  第２内傾斜面
１８  固定スリーブ
１９  変形溝
２０  変形部
２  内管
２１  サークリップ
２２  滑り案内溝
３  ガスケット
４  インサート材
５  挿入溝
６  押さえ材
７  押圧部
８  第１内傾斜面
９  第１外傾斜面
【図１】
0003233276.tif 000003
【図２】
0003233276.tif 000004
【図３】
0003233276.tif 000005
【図４】
0003233276.tif 000006
【図５】
0003233276.tif 000007
【図６】
0003233276.tif 000008
【図７】
0003233276.tif 000009